(57)【要約】【課題】軸筒内のボールペンレフィルを繰出す操作に連動してインキ収容筒の後方空間部を圧縮して加圧する加圧機構を備えた繰出式加圧筆記具において、筆記状態のまま、インキ収容筒の後方空間部の密閉状態を容易に解除、再加圧可能な繰出式加圧筆記具を提供すること。【解決手段】軸筒４内に、当該軸筒４に対して前後動自在に係止した摺動体９が配設され、当該摺動体９が、軸筒４から少なくとも一部が外部に露出した操作部９ｃを具備し、ボールペンレフィル７の前端部１４ａが軸筒４の前端開口部３ａから突出した状態で、操作部９ｃを操作し摺動体９を前方または後方へ移動させることで、加圧機構６の空気口１７ｃが外部と連通してインキ収容筒１１の後方空間部の密閉状態を解除して外気圧と同圧とすると共に、操作部を操作し摺動体を後方または前方へ移動させることで、加圧機構６の空気口１７ｃを遮断して密閉し、インキ収容筒１１の後方空間部を再度圧縮して加圧する加圧リセット機構を設ける。【選択図】図１
2019130807.tif 000002
【特許請求の範囲】
【請求項１】
軸筒内に、筆記具用インキ組成物を充填したインキ収容筒と、該インキ収容筒の前方にボールペンチップと、を具備したボールペンレフィルを収容してなり、
前記インキ収容筒の後方には、前記ボールペンレフィルの前端部を前記軸筒の前端開口部から出没させる繰出機構と、当該インキ収容筒の後部に連結し、外部と連通する空気口を備えた加圧機構と、を具備し、
前記加圧機構が、前記ボールペンレフィルの前方への繰り出し動作に連動して前記空気口の外部との連通を遮断して密閉し、前記インキ収容筒の後方空間部を圧縮して加圧すると共に、前記ボールペンレフィルの前記軸筒内への没入動作に連動して前記空気口を外部と連通させ、前記インキ収容筒の後方空間部の密閉状態を解除して外気圧と同圧とするよう構成した繰出式加圧筆記具であって、
前記軸筒内に、該軸筒に対して前後動自在に係止した摺動体が配設され、前記摺動体が当該軸筒から少なくとも一部が外部に露出した操作部を具備し、
前記ボールペンレフィルの前端部が前記軸筒の前端開口部から突出した状態で、前記操作部を操作し前記摺動体を前方または後方へ移動させることで、前記加圧機構の空気口が外部と連通して前記インキ収容筒の後方空間部の密閉状態を解除して外気圧と同圧とすると共に、前記操作部を操作し前記摺動体を後方または前方へ移動させることで、前記加圧機構の空気口を遮断して密閉し、前記インキ収容筒の後方空間部を再度圧縮して加圧する加圧リセット機構を設けたことを特徴とする繰出式加圧筆記具。
【請求項２】
前記摺動体の操作部を前記軸筒の前部に配設したことを特徴とする請求項１に記載の繰出式加圧筆記具。
【請求項３】
前記軸筒内に、前記摺動体を軸方向に沿って前方または後方へ向って弾発する第一の弾発部材を配設し、
前記加圧リセット機構を作動させ、前記インキ収容筒の後方空間部の密閉状態を解除した後、前記第一の弾発部材の弾発力で前記摺動体を移動させて前記加圧機構の空気口を遮断して密閉し、前記インキ収容筒の後方空間部を再度圧縮して加圧するよう構成したことを特徴とする請求項１または２に記載の繰出式加圧筆記具。
【請求項４】
前記軸筒と前記ボールペンレフィルとの間に前記第一の弾発部材が配設され、当該第一の弾発部材により前記ボールペンレフィルと共に前記摺動体が後方へ弾発され、
前記加圧機構が、前記ボールペンレフィルの後方に内外を連通する前記空気口を有するシリンダーと、前記シリンダーに対して前後動自在に配設したピストンと、前記シリンダーの内部に前記ボールペンレフィルのインキ収容筒の後方空間部と前記ピストンとの間を連通する加圧空間部と、前記シリンダーと前記ピストンとの間に配設され当該シリンダーを前方へ弾発する第二の弾発部材と、を備え、
前記繰出機構を作動させることで、前記ピストンが前進して前記空気口を遮断して密閉し、前記加圧空間部が圧縮して加圧されることを特徴とする請求項３に記載の繰出式加圧筆記具。
【請求項５】
少なくとも前記ボールペンレフィルの前端部が前記軸筒の前端開口部から突出した状態においては、前記第二の弾発部材の弾発力より前記第一の弾発部材の弾発力の方が大きくなるよう構成したことを特徴とする請求項４に記載の繰出式加圧筆記具。
【発明の詳細な説明】
【技術分野】
【０００１】
本発明は、インキ収容筒内の筆記具用インキ組成物の後端に圧力を加える加圧筆記具に関するものである。
【背景技術】
【０００２】
従来からこの種の加圧筆記具には、例えば特許文献１に開示のように、インキを充填した筆記体の後端部に、ノック体への押圧操作により、筆記体の筆記先端部を軸筒先端開口部より出没するノック式の出没機構と、筆記体のインキ収容筒の後方空間部を加圧する加圧機構と、を具備した、ノック式の加圧筆記具が知られている。
【０００３】
前記したようなノック式の加圧機構を有する加圧筆記具においては、ノック体の押圧操作に連動して加圧機構が作動し、インキ収容筒の後方空間部を加圧すると共に、ノック式の出没機構による筆記先端部の軸筒内への収納操作に連動してインキ収容筒内の加圧状態を解除する構造になっている。また、筆記先端部を軸筒先端開口部より突出させた加圧状態で、筆記によりインキ収容筒内のインキが消費されると、加圧されたインキ収容筒内が徐々に減圧されるため、加圧することで得られるインキ吐出量の増加に伴う筆跡濃度の向上や、筆記先端部を上向きで筆記した際に当該筆記先端部からの空気の巻き込みを防止するなどの効果が減少してしまう。このため、減圧した状態をリセットするため、ノック体を押圧して筆記先端部を軸筒内に収納してインキ充填管内の加圧状態を一旦解除し、更に、ノック体を押圧してインキ収容内を再度加圧状態にする必要があり、手間が掛かっていた。
【０００４】
一方、特許文献２には、筆記時の筆圧によって加圧機構部を作動させ、インキ収容管内を加圧状態とする、いわゆる筆圧加圧式のボールペンが開示されている。
この特許文献２に記載されている筆圧加圧式のボールペンは、筆記時にボールペンチップ（筆記先端部）が筆圧によって後退することで加圧機構部が作動してインキ収容管内のインキの後端に圧力を掛ける構造のため、筆記毎に加圧しつつ筆記することとなり、筆記時のインキ収容管内の圧力が一定の状態となることで、安定した筆跡を得ることができる。
【先行技術文献】
【特許文献】
【０００５】
【特許文献１】特開２０００−３３５１７３号公報
【特許文献２】特開２０００−２６３９９２号公報
【発明の概要】
【発明が解決しようとする課題】
【０００６】
しかしながら、特許文献２の構造では、筆記時の筆圧により筆記先端部を微小に後退させることで加圧機構部を作動させている。このため、使用者が感じる筆記時の筆感は、筆記先端部が後方へ動くために柔らかいものとなる。この柔らかい筆感を好む人が多数いることは知られているが、一方で、筆記時に筆記先端部が後退することを不快と感じる人がいることも知られており、特許文献２に記載されている筆圧加圧式のボールペンは、万人が筆記し易いと感じるわけではないという課題があった。
【０００７】
本発明は、軸筒内のボールペンレフィルを繰出す操作に連動してインキ収容筒の後方空間部を圧縮して加圧する加圧機構を備えた繰出式加圧筆記具において、筆記先端部を軸筒の前端開口部から突出させた状態で、インキ収容筒の後方空間部の密閉状態を容易に解除、再加圧可能な繰出式加圧筆記具を提供することを目的とした。
【課題を解決するための手段】
【０００８】
本発明は、
「１．軸筒内に、筆記具用インキ組成物を充填したインキ収容筒と、該インキ収容筒の前方にボールペンチップと、を具備したボールペンレフィルを収容してなり、
前記インキ収容筒の後方には、前記ボールペンレフィルの前端部を前記軸筒の前端開口部から出没させる繰出機構と、当該インキ収容筒の後部に連結し、外部と連通する空気口を備えた加圧機構と、を具備し、
前記加圧機構が、前記ボールペンレフィルの前方への繰り出し動作に連動して前記空気口の外部との連通を遮断して密閉し、前記インキ収容筒の後方空間部を圧縮して加圧すると共に、前記ボールペンレフィルの前記軸筒内への没入動作に連動して前記空気口を外部と連通させ、前記インキ収容筒の後方空間部の密閉状態を解除して外気圧と同圧とするよう構成した繰出式加圧筆記具であって、
前記軸筒内に、該軸筒に対して前後動自在に係止した摺動体が配設され、前記摺動体が当該軸筒から少なくとも一部が外部に露出した操作部を具備し、
前記ボールペンレフィルの前端部が前記軸筒の前端開口部から突出した状態で、前記操作部を操作し前記摺動体を前方または後方へ移動させることで、前記加圧機構の空気口が外部と連通して前記インキ収容筒の後方空間部の密閉状態を解除して外気圧と同圧とすると共に、前記操作部を操作し前記摺動体を後方または前方へ移動させることで、前記加圧機構の空気口を遮断して密閉し、前記インキ収容筒の後方空間部を再度圧縮して加圧する加圧リセット機構を設けたことを特徴とする繰出式加圧筆記具。
２．前記摺動体の操作部を前記軸筒の前部に配設したことを特徴とする前記１項に記載の繰出式加圧筆記具。
３．前記軸筒内に、前記摺動体を軸方向に沿って前方または後方へ向って弾発する第一の弾発部材を配設し、
前記加圧リセット機構を作動させ、前記インキ収容筒の後方空間部の密閉状態を解除した後、前記第一の弾発部材の弾発力で前記摺動体を移動させて前記加圧機構の空気口を遮断して密閉し、前記インキ収容筒の後方空間部を再度圧縮して加圧するよう構成したことを特徴とする前記１項または２項に記載の繰出式加圧筆記具。
４．前記軸筒と前記ボールペンレフィルとの間に前記第一の弾発部材が配設され、当該第一の弾発部材により前記ボールペンレフィルと共に前記摺動体が後方へ弾発され、
前記加圧機構が、前記ボールペンレフィルの後方に内外を連通する前記空気口を有するシリンダーと、前記シリンダーに対して前後動自在に配設したピストンと、前記シリンダーの内部に前記ボールペンレフィルのインキ収容筒の後方空間部と前記ピストンとの間を連通する加圧空間部と、前記シリンダーと前記ピストンとの間に配設され当該シリンダーを前方へ弾発する第二の弾発部材と、を備え、
前記繰出機構を作動させることで、前記ピストンが前進して前記空気口を遮断して密閉し、前記加圧空間部が圧縮して加圧されることを特徴とする前記３項に記載の繰出式加圧筆記具。
５．少なくとも前記ボールペンレフィルの前端部が前記軸筒の前端開口部から突出した状態においては、前記第二の弾発部材の弾発力より前記第一の弾発部材の弾発力の方が大きくなるよう構成したことを特徴とする前記４項に記載の繰出式加圧筆記具。」である。
【０００９】
本発明によれば、ボールペンレフィルの前端部が軸筒の前端開口部から突出した状態で、操作部を操作し摺動体を前方または後方へ移動させることで、加圧機構の空気口が外部と連通してインキ収容筒の後方空間部の密閉状態を解除して外気圧と同圧とすると共に、摺動体を後方または前方へ移動させることで、加圧機構の空気口が遮断されインキ収容筒の後方空間部を再度圧縮して加圧することができる。このため、本発明の繰出式加圧筆記具で筆記した際、筆記によりインキ収容筒内の筆記具用インキ組成物が消費され、インキ収容筒の後方空間部の容積が増加することで加圧機構により掛けられていた圧力が減圧されても、筆記先端部を軸筒の前端開口部から突出させた状態のまま、加圧リセット機構を作動させることで容易に圧力を解除、再加圧させ、筆記を再開することができる。
尚、加圧リセット機構を作動させる際に、操作部を操作し摺動体を移動させる方向は、操作部を前方へ動かすことで圧力を解除し、後方へ戻すことで再加圧させてもよく、操作部を後方へ動かすことで圧力を解除し、前方へ戻すことで再加圧させてもよい。
【００１０】
尚、本発明のボールペンレフィルの繰出機構は、当該ボールペンレフィルの繰り出しに連動して加圧機構が作動するように構成されていれば、従来公知の後端ノック式、回転繰出式、サイドノック式等、特に限定されることはなく採用することができる。
【００１１】
また、本発明の繰出式加圧筆記具を把持して筆記する際、その把持部は軸筒の前部となるため、筆記体勢のまま加圧リセット機構を操作できるよう、摺動体の操作部は、軸筒の前部に配設されるよう構成することが好ましく、また、軸筒の把持部に操作部を併設すると、筆記時に使用者の指が把持部に掛かることで誤動作の原因になることから、摺動体の操作部の位置は軸筒の前部、且つ、把持部の後方に形成することがより好ましい。更に、誤動作を防ぐ手段としては、操作部の軸周方向の長さを短く形成してもよく、その長さは、操作し易く、且つ筆記時に指が当たり難くなるよう軸筒の全周長に対して５％から２０％の間に形成することが好ましい。
【００１２】
また、加圧リセット機構を作動させ、インキ収容筒の後方空間部の密閉状態を解除して外気圧と同圧にした後、摺動体が自動的に移動して前記加圧機構の空気口が遮断され、前記インキ収容筒の後方空間部を再度圧縮して加圧するよう、軸筒内に、摺動体を軸方向に沿って前方または後方（加圧機構が作動する方向）へ向って弾発する第一の弾発部材を配設することが好ましく、この場合、操作部を操作し圧力を解除した際、操作部から手を離すことで、第一の弾発部材の弾性力により自動的に摺動体が加圧機構を作動させる方向へ移動し、再加圧することができる。このため、加圧リセット機構の操作性を向上させる効果を奏する。
【００１３】
また、本発明の加圧機構は、軸筒内に配設したピストンを前進させることで、シリンダー内の加圧空間部が圧縮して加圧され、加圧空間部に連通するボールペンレフィルの後方空間部が加圧されるよう構成してもよく、この場合、シリンダーに内外を連通する空気口を設けているため、加圧空間部の加圧状態を解除した際に、空気口によりすぐに外部と加圧空間部を連通させることができる。このため、加圧解除時に瞬間的に発生する加圧空間部が負圧状態（外気圧より圧力が低くなる状態）になることを防止でき、更に、加圧空間部が負圧になることで、加圧解除時にボールペンレフィルの前端部から空気をボールペンレフィル内に微量に吸い込み、次の筆記開始時にインキの吐出を阻害し、筆跡が薄くなることを防止できる。
【００１４】
また、少なくとも前記ボールペンレフィルの前端部が前記軸筒の前端開口部から突出した筆記状態においては、第二の弾発部材の弾発力より第一の弾発部材の弾発力が大きくなるよう構成することが好ましく、この場合、第一の弾発部材でボールペンレフィルを後方へ弾発することで、加圧機構のシリンダーが第二の弾発部材の弾発力により前進することを防ぎ、シリンダー内の加圧空間部の加圧状態を維持することができる。
【発明の効果】
【００１５】
本発明によれば、軸筒内のボールペンレフィルを繰出す操作に連動してインキ収容筒の後方空間部を圧縮して加圧する加圧機構を備えた繰出式加圧筆記具において、筆記先端部を軸筒の前端開口部から突出させた状態で、インキ収容筒の後方空間部の密閉状態を容易に解除して外気圧と同圧とし、再加圧可能な繰出式加圧筆記具を提供することことができた。
【図面の簡単な説明】
【００１６】
【図１】実施例１の加圧式筆記具の縦断面図である。
【図２】図１におけるＡ−Ａ線拡大断面図である。
【図３】摺動体を説明するための斜視図である。
【図４】図１における加圧機構の拡大断面図である。
【図５】図１の状態からノック体を前進させたノック状態（筆記状態）を示す縦断面図である。
【図６】図５の状態から摺動体が前方へ移動した状態を示す縦断面図である。
【００１７】
次に図面を参照しながら、本発明の繰出式加圧筆記具をボールペンを用いて詳細に説明するが、本発明は以下の実施例に限定されるものではない。
また、本実施例では、軸筒の長手方向において、ボールペンチップがある方を前方と表現し、その反対側を後方と表現する。更に、軸筒の軸径方向において、ボールペンレフィルがある方を内方と表現し、その反対側を外方と表現する。
尚、説明を分かりやすくするために、図面中の同様の部材、同様の部分については同じ符号を付してある。
【００１８】
実施例１
本実施例の繰出式加圧筆記具１は、図１から図４に示すように、後軸２の前方に前軸３を螺合することで軸筒４を形成してあり、軸筒４内に前後動可能に配設されたノック体５と、ノック体５内に配設された加圧機構６と、加圧機構６の前部に装着され軸筒４内を前後に摺動可能なボールペンレフィル７と、後軸３の側面に回動自在に係止されたクリップ８と、軸筒４の外側面から一部が露出し、軸筒４に対して前後動自在に係止された摺動体９と、により構成してある。また、繰出式加圧筆記具１は、ボールペンレフィル７が軸筒４に対して前後動することで、当該ボールペンレフィル７の前端部を前軸３の前端開口部３ａから出没させる繰出機構１０を備えている。
【００１９】
ボールペンレフィル７は、ＰＰ樹脂からなる透明のインキ収容筒１１に、筆記具用インキ組成物であるインキ１２及び当該インキ１２の後端にインキの消費に伴い追従するグリース状のインキ追従体１３を直接収容し、インキ収容筒１１の前端開口部に、ボール（φ０．５ｍｍ）を回動自在に抱持し、筆記先端部となるボールペンチップ１４の後端部を圧入嵌合して得たものである。
【００２０】
摺動体９は、図１から図３に示すように、後端から前方へ向って形成されたスリット部９ａを備えた略筒状体で形成してあり、中心部には前後方向（軸方向）に貫通する内孔９ｂが形成され、前部内孔９ｂ１を後部内孔９ｂ２に比べて小径で形成してある。また、摺動体９の外側面には、外方へ向って突出する突起状の操作部９ｃを形成してある。
尚、操作部９ｃの外方端には凹凸部９ｆを形成してあり、指で操作する際に滑り難くしてある。
【００２１】
前軸３（軸筒４）は、図１に示すように、前端にボールペンレフィル７のボールペンチップ１４が出没可能な前端開口部３ａが形成されている。また、前軸３（軸筒４）の外側面３ｂには、内孔３ｃまで貫通し前後方向に延びる側孔３ｄが形成してあり、側孔３ｄには摺動体９の操作部９ｃが配設され、前軸３に対して摺動体９を前後動自在に係止してある。
【００２２】
更に、前軸３（軸筒４）の内面に形成した内段部３ｅと摺動体９の前端面９ｄとの間に第１コイルスプリング１５（第一の弾発部材）を圧縮状態で張架し、且つ、摺動体９の内段部９ｅには、ボールペンレフィル７の外段部７ａが当接するよう構成することで、軸筒４に対して摺動体９とボールペンレフィル７とを後方に弾発してある。
尚、前軸３（軸筒４）の外側面には凹凸状に形成した把持部３ｆが形成してあり、軸筒４を手で把持した際、指が滑り難くなるようにしてある。
【００２３】
また、摺動体９の操作部９ｃが、前軸３の把持部３ｆの後方に位置するよう配設してある。このため、筆記時に使用者の指が把持部に掛かることで誤動作が発生することを防ぐことができる。
更に、操作部９ｃの軸周方向の長さＬ１（図２参照）は、把持部３ｆを把持して筆記する際に邪魔にならず、且つ、操作し易いよう、前軸３（軸筒４）の全周長Ｌ２に対して５〜２０％に形成することが好ましい。本実施例では、具体的には、前軸３（軸筒４）の全周長Ｌ２は３７．７ｍｍ、操作部９ｃの軸周方向の長さＬ１を４．０ｍｍで形成してある。このため、前軸３（軸筒４）の全周長Ｌ２に対する操作部９ｃの軸周方向の長さＬ１が１０．６％となり、筆記時に操作部９ｃに指が当たり難く、筆記し易いものとなった。
【００２４】
後軸２（軸筒４）は筒状に形成してあり、図１に示すように、外側面２ａに軸方向に沿って延び、内孔まで貫通する側孔２ｂが形成してある。また、外側面２ａには外方へ向って突出するクリップ係止部２ｃが形成してあり、クリップ係止部２ｃはクリップ用係止突起２ｄとスプリング用係止突起２ｅにより構成してある。そして、クリップ用係止突起２ｄには軸方向に対して直交する方向に係止孔２ｆが形成してある。
【００２５】
ノック体５は、後端に有底部を備えた筒状体で形成されており、外側面に外方へ向って突出する掛止突起５ａが形成され、内周部には、内段部５ｃと内方へ向って突出するストッパー５ｂとを形成してある。また、ノック体５は、その後端が後軸２の後端開口部から後方へ突出するように当該後軸２内に配設してある。
尚、掛止突起５ａは後軸２の側孔２ｂに挿入してあり、これによりノック体５は、後軸２に対して、前後動自在且つ回動不能に係止される。
【００２６】
クリップ８は、後軸２のスプリング用係止突起２ｅと、クリップ８の内壁部に軸筒４側に突出するように形成した内突起８ａとの間にクリップ用スプリング１６を配設し、クリップ８の内側壁に形成した係止軸部８ｂを係止孔２ｆに係止することで、クリップ８の先端部を、後軸２の外壁面側に常時弾発するよう張架すると共に、クリップ８の後端部を押圧（図５の矢印Ｇ方向）することにより、クリップ８と後軸２との係止軸Ｒを支点とし、クリップ８の先端部を後軸２の外壁面から離間可能な可動式クリップとして構成してある。
尚、クリップ８の前部には、基部８ｃから軸筒４側に延び、ノック体５の側面に形成した掛止突起５ａと掛止する被掛止部８ｄを形成してある。
【００２７】
加圧機構６は、図１及び図４に示すように、ボールペンレフィル７の後方且つノック体５の内方に、当該ノック体５に対して前後動自在に収納され、円筒状のシリンダー１７と、シリンダー１７の後端開口部１７ａに挿入されシリンダー１７に対して前後に摺動可能に係着したピストン１８と、ピストン１８の側面に嵌着されたＯリング１９と、シリンダー１７とピストン１８の間に張架した第２コイルスプリング２０（第ニの弾発部材）とで構成してある。
尚、加圧機構６は、ノック体５のストッパー５ｂにより前方への移動を制限してある。
【００２８】
シリンダー１７について詳述すると、図１及び図４に示すように、シリンダー１７は前後に貫通する段状に形成された内孔１７ｂを有しており、シリンダー１７の外周面には、内孔１７ｂまで貫通する空気口１７ｃを形成してある。
また、シリンダー１７の内孔１７ｂには、シリンダー１７の内側部１７ｄとピストン１８の前端とＯリング１９とにより囲まれた加圧空間部２１が形成され、加圧空間部２１は空気口１７ｃによりシリンダー１７の外部と通気させてある。
【００２９】
更に、シリンダー１７の前部１７ｅは中央部１７ｆより小径で形成してあり、前部１７ｅには外方へ向かって円周状に突出する装着部１７ｇが軸方向に沿って２箇所形成してある。また、ボールペンレフィル７の後端内周部７ｂはシリンダー１７の装着部１７ｇに着脱自在に装着してあり、加圧空間部２１はシリンダー１７の内孔１７ｂによりボールペンレフィル７の後部内孔７ｃ（後方空間部）まで連通してある。
尚、装着部１７ｇは、シリンダー１７にボールペンレフィル７を装着した際、シリンダー１７とボールペンレフィル７との間の気密が確保され、且つ、手で容易に着脱可能になるよう外方への突出量（外径）を調整してある。
【００３０】
ピストン１８について詳述すると、ピストン１８の外周部１８ａには外方へ向かって突出する凸部１８ｂが軸心を挟んで対称に２箇所形成してある。そして、凸部１８ｂをシリンダー１７の中央部１７ｆに軸心に沿って延びるように形成した窓部１７ｈに、前後方向に対して摺動自在に係止してある。
【００３１】
更に、ピストン１８の外周部１８ａには軸周方向に延びる凹状の凹状部１８ｃが形成してあり、凹状部１８ｃには合成ゴムで形成したＯリング１９（密閉部材）を嵌着してある。このＯリング１９の外側部はシリンダー１７の内側部１７ｄに摺接しており、シリンダー１７の後端開口部１７ａをピストン１８とＯリング１９とで空気が漏れないように密閉してある。また、ピストン１８の後端面には前方へ向って凹状に形成された後方内孔１８ｄを設けてある。
尚、シリンダー１７が後退した際、シリンダー１７の後端にノック体５の内段部５ｃが当接することで、シリンダー１７の後退を制限してある。
【００３２】
第２コイルスプリング２０（第ニの弾発部材）について詳述すると、第２コイルスプリング２０はシリンダー１７の内方段部１７ｉとピストン１８の前段部１８ｅとの間に張架してあり、ピストン１８に対してシリンダー１７を前方に弾発してある。
【００３３】
尚、加圧空間部２１は、シリンダー１７の前後への摺動によりＯリング１９の位置がシリンダー１７の空気口１７ｃより前方にあるときは密閉状態となり、Ｏリング１９の位置が空気口１７ｃより後方にあるときは、加圧空間部２１とシリンダー１７の外部とが空気口１７ｃにより連通され非密閉状態となる。
【００３４】
ここで、第１コイルスプリング１５と第２コイルスプリング２０の弾発力の関係について説明を行う。
図１の非ノック時（非筆記時）においては、第１コイルスプリング１５の弾発力が第２コイルスプリング２０の弾発力より小さくなるよう調整してあり、ノック体５を前方へ押圧した図５の状態（筆記状態）では、第１コイルスプリング１５の弾発力が第２コイルスプリング２０の弾発力より大きくなるよう各コイルスプリングの弾発力を調整してある。
尚、具体的には、本実施例において、非ノック時（非筆記状態）の第１コイルスプリング１５の弾発力は１．０Ｎであり、第２コイルスプリング２０の弾発力は約１．５Ｎとなるよう構成した。また、ノック時（筆記状態）の第１コイルスプリング１５の弾発力は２．４Ｎであり、第２コイルスプリング２０の弾発力は１．７Ｎとなるよう構成した。
【００３５】
尚、繰出式加圧筆記具１には、摺動体９を前後動させることで、ボールペンチップ１４の前端部１４ａ（筆記先端部）が前軸３の前端開口部３ａから突出した筆記状態におけるシリンダー１７内の加圧空間部２１の密閉状態を解除し、再加圧可能な加圧リセット機構が構成される。
【００３６】
次に、図１及び図５を用いて、ノック体５を前方へ押圧（ノック操作）することで、ボールペンレフィル７の筆記先端であるボールペンチップ１４の前端部１４ａを前軸３の前端開口部３ａから突出させ、非筆記状態から筆記状態へ切り替えると共に、ボールペンレフィル７内のインキ１２の後端にインキ追従体１３を介して圧力をかける状態を説明する。
図１の状態からノック体５を前方へ押圧（図１の矢印Ｆ方向）すると、ノック体５に押されたピストン１８が前進する。この際、非ノック時における第２コイルスプリング２０の弾発力は、第１コイルスプリング１５の弾発力より大きく設定してあることから、第２コイルスプリング２０は圧縮されることなく加圧空間部２１は非加圧状態のままシリンダー１７と共にボールペンレフィル７が前方に押圧されて前進する。そして、ボールペンレフィル７に押されて、第１コイルスプリング１５が圧縮し、当該第１コイルスプリング１５の弾発力が第２コイルスプリング２０の弾発力より大きくなることでシリンダー１７の前進が止まる。更にノック体５が前進し、ノック体５の内段部５ｃがシリンダー１７の後端に当接すると、シリンダー１７がボールペンレフィル７と共に再びノック体５に押されて前進し、前軸３の前端開口部３ａからボールペンチップ１４の前端部１４ａを突出させる。そこで、ノック体５の掛止突起５ａが、後軸２の側面に配置したクリップ８の先端部の被掛止部８ｄに掛止することで、ボールペンチップ１３の前端を、前軸３（軸筒４）の前端開口部３ａから突出した状態を維持させる図５の状態となる。
【００３７】
この時、加圧機構６においては、シリンダー１７の前進が止まった際、シリンダー１７に対してピストン１８が前進して第２コイルスプリング２０が縮み、シリンダー１７の空気口１７ｃよりＯリング１９の位置が前方へ移動し、Ｏリング１９により加圧空間部２１を密閉する。そして、ピストン１８が前方へ移動すると、第２コイルスプリング２０を更に圧縮させ、ボールペンレフィル７の後部内孔７ｃ及び加圧空間部２１を圧縮させ、ボールペンレフィル７内のインキ１２の後端にインキ追従体１３を介して圧力を加える状態となる。
【００３８】
そして、クリップ８の後端部を押圧（図５の矢印Ｇ方向）し、クリップ８の被掛止部８ｄに係止したノック体５の掛止突起５ａの掛止状態を解除すると、第１コイルスプリング１５の弾発力によって、ボールペンレフィル７、シリンダー１７、ピストン１８及びノック体５が後方に移動して、ボールペンチップ１４の前端部１４ａを前軸３の前端開口部３ａ内に没入させ、且つ、第２コイルスプリング２０の弾発力によりピストン１８に対してシリンダー１７を前進させ、空気口１７ｃがＯリング１９に達すると、空気口１７ｃにより加圧空間部２１と外部とが連通し、加圧空間部２１の密閉状態が解除されて外気圧と同圧となり、図１の非ノック状態（非筆記状態）に戻る。
【００３９】
次に、図５及び図６を用いて、摺動体９を軸方向に沿って前後に摺動し、加圧リセット機構を作動させることで、加圧機構６内の加圧空間部２１の密閉状態を解除して外気圧と同圧とし、再度加圧する動作を説明する。
図５の筆記状態から、前軸３（軸筒４）の外側面から露出する摺動体９の操作部９ｃに指を当て前方へ移動させると、第２コイルスプリング２０の弾発力でシリンダー１７に対してピストン１８とＯリング１９とが後方へ移動する。そして、Ｏリング１９がシリンダー１７の空気口１７ｃに達すると、加圧空間部２１と外部とが連通し、加圧空間部２１の密閉状態が解除されて、外圧と同圧となる図６の状態となる。
尚、この際、ボールペンレフィル７、シリンダー１７、ノック体５の３部品は摺動体９の移動に合わせて自重により前方側へ移動した状態となる。
【００４０】
ここで、図６の状態から、操作部９ｃから指を離す、または、操作部９ｃを前方へ押している指の力を緩めると、第１コイルスプリング１５の弾発力により摺動体９、ボールペンレフィル７、シリンダー１７、ピストン１８、Ｏリング１９、ノック体５が後方へ移動する。そして、ノック体５の掛止突起５ａがクリップ８の被掛止部８ｄに当接することでノック体５の後退が止まり、次にノック体５の内段部５ｃにピストン１８の後端が当接することでピストン１８とＯリング１９の後退が止まる。この際、ノック時（筆記状態）においては第２コイルスプリング２０の弾発力より第１コイルスプリング１５の弾発力を強くなるよう設定しているため、シリンダー１７とボールペンレフィル７は後退を続け、シリンダー１７の空気口１７ｃがＯリング１９より後方へ移動し、加圧空間部２１が密閉状態となり、更にシリンダー１７が後方へ移動することで、加圧空間部２１が再び圧縮された図５の状態に戻る。  
【００４１】
本実施例の繰出式加圧筆記具１は、ボールぺチップ１４の前端部１４ａが前軸３の前端開口部３ａから突出した図５の筆記状態で筆記を行うと、ボールペンレフィル７内のインキ１２の後端にインキ追従体１３を介して圧力を加えているため、通常よりインキ吐出量が増加し、筆跡濃度の向上、筆跡のかすれ防止、ボールペン構造の特有の問題である上向き筆記時の筆記先端部からの空気巻き込みを防止する等の効果を得られる。
また、図５の状態で筆記を続けると、ボールペンレフィル７内のインキ１２を消費するため、ボールペンレフィル７の後部内孔７ｃ（後方空間部）の容積がインキ１２の消費分増加してしまい、結果として、後部内孔７ｃ（後方空間部）と連通している加圧空間部２１が減圧され、使うごとに効果が減少してしまうが、加圧リセット機構を作動させることで、加圧空間部２１の圧縮状態を解除、再加圧することができ、加圧空間部２１内の圧縮状態を回復することができる。
【００４２】
更に、本実施例の繰出式加圧筆記具１は、筆記する際に軸筒４を把持する把持部３ｆのすぐ後ろ側に摺動体９の操作部９ｃを配置しているため、筆記状態のまま、指で操作部９ｃを操作できる。このため、加圧リセット機構の作動を軸筒４を持ち替えることなく実施でき、加圧空間部２１の加圧状態を容易に維持しつつ筆記を継続することが可能なものとなった。
また、繰出式加圧筆記具１は、摺動体９の操作部９ｃを移動し、加圧リセット機構を作動させる操作を何度繰り返しても、加圧空間部２１の加圧量が増え続けることはなく、過度に加圧量が増えることでボールペンチップ１４の前端部１４ａ（筆記先端部）からインキ１２が漏れることはない。尚、繰出式加圧筆記具１は、ボールペンレフィル７を前方へ繰出す際に同時に加圧空間部２１を加圧する構造であることから、筆記する際にボールペンレフィル７の後退動作を利用してボールペンレフィル内を加圧する筆圧加圧式と比べて、筆記時のボールペンレフィルの筆記先端部の後退がなく、筆記し易いものとなった。
【符号の説明】
【００４３】
１…繰出式加圧式筆記具、
２…後軸、２ａ…外側面、２ｂ…側孔、２ｃ…クリップ係止部、
２ｄ…クリップ用係止突起、２ｅ…スプリング用係止突起、２ｆ…係止孔
３…前軸、３ａ…前端開口部、３ｂ…外側面、３ｃ…内孔、３ｄ…側孔、
３ｅ…内段部、３ｆ…把持部、
４…軸筒、
５…ノック体、５ａ…掛止突起、５ｂ…ストッパー、５ｃ…内段部、
６…加圧機構、
７…ボールペンレフィル、７ａ…外段部、７ｂ…後端内周部、
７ｃ…後部内孔（後方空間部）、
８…クリップ、８ａ…内突起、８ｂ…係止軸部、８ｃ…基部、８ｄ…被掛止部、
９…摺動体、９ａ…スリット部、９ｂ…内孔、９ｂ１…前部内孔、９ｂ２…後部内孔、
９ｃ…操作部、９ｄ…前端面、９ｅ…内段部、９ｆ…凹凸部、
１０…芯繰出機構、
１１…インキ収容筒、
１２…インキ（筆記具用インキ組成物）、
１３…インキ追従体、
１４…ボールペンチップ、１４ａ…前端部、
１５…第１コイルスプリング（第一の弾発部材）、
１６…クリップ用スプリング、
１７…シリンダー、１７ａ…後端開口部、１７ｂ…内孔、１７ｃ…空気口、
１７ｄ…内側部、１７ｅ…前部、１７ｆ…中央部、１７ｇ…装着部、
１７ｈ…窓部、１７ｉ…内方段部、１７ｊ…窓部後端、
１８…ピストン、１８ａ…外周部、１８ｂ…凸部、１８ｃ…凹状部、
１８ｄ…後部内孔、１８ｅ…前段部、
１９…Ｏリング、
２０…第２コイルスプリング（第二の弾発部材）、
２１…加圧空間部、
Ｒ…係止軸。
【図１】
2019130807.tif 000003
【図２】
2019130807.tif 000004
【図３】
2019130807.tif 000005
【図４】
2019130807.tif 000006
【図５】
2019130807.tif 000007
【図６】
2019130807.tif 000008